(57)【特許請求の範囲】
【請求項１】
円形の開口を有し周部に比べて中央部が凹んだドーム状の凹面鏡と、当該凹面鏡の周部に沿って、発光面を凹面鏡の中央部側にしてそれぞれ配置された赤色ＬＥＤ、緑色ＬＥＤおよび青色ＬＥＤを備え、前記各ＬＥＤからの照射光を凹面鏡で反射することによって混色した光を被照面に照射するＬＥＤ照明器具において、前記凹面鏡の中央部に配置されて、赤色、緑色、青色の各色成分の光強度を個別に測定するＲＧＢセンサと、ＲＧＢセンサの検出結果をもとに赤色、緑色、青色の色バランスが所定の設定値となるように前記各ＬＥＤの光出力を制御する制御部とを設けたことを特徴とするＬＥＤ照明器具。
【発明の詳細な説明】
【技術分野】
【０００１】
本発明は、ＬＥＤ照明器具に関するものである。
【背景技術】
【０００２】
この種のＬＥＤ照明器具としては、赤色ＬＥＤと緑色ＬＥＤと青色ＬＥＤとを備え、各ＬＥＤの発光色を混色することによって白色光を発生させて、被照面に照射させるものが従来より提供されている。
【０００３】
図３は従来のＬＥＤ照明器具の一例を示しており、このＬＥＤ照明器具は、開口部を下向きにして、天井材２０に設けた埋込孔２１に埋込配設される器体１０を備えている。器体１０の内部には、赤色ＬＥＤ２Ｒと緑色ＬＥＤ２Ｇと青色ＬＥＤ２Ｂとがそれぞれ発光面を器体１０の開口部側にして配置されており、器体１０の開口部に配置した拡散板１５により各ＬＥＤ２Ｒ，２Ｇ，２Ｂの発光色を拡散させることで、各色の光を混色して白色光を発生させている。
【０００４】
ここで、各色のＬＥＤ２Ｒ，２Ｇ，２Ｂの光出力は使用温度や累積使用時間に応じて変化し、それによって混色された光の光色が変化するので、各ＬＥＤ２Ｒ，２Ｇ，２Ｂの光が集まる拡散板１５の中央部にＲＧＢセンサ３を配置し、ＲＧＢセンサ３によってＲＧＢの各色成分の光強度を個別に検出している。そして、図示しない制御部が、ＲＧＢセンサ３の検出結果をもとに各ＬＥＤ２Ｒ，２Ｇ，２Ｂの光出力を制御することで、発光色の色温度を所定の色温度に制御している。
【０００５】
また、特許文献１に示されるＬＥＤ照明器具では、拡散板１５の中央部にＲＧＢセンサ３を配置する代わりに、拡散板１５の内側にＲＧＢのＬＥＤの配列方向に沿って光ファイバを延設し、この光ファイバで各ＬＥＤの発光をＲＧＢセンサに導光しており、ＲＧＢセンサの検出結果をもとに各色のＬＥＤの光出力を制御していた。
【特許文献１】特表２００２−５３３８７０号公報（段落［００１３］−［００１５］）
【発明の開示】
【発明が解決しようとする課題】
【０００６】
上述のＬＥＤ照明器具では、各色のＬＥＤ２Ｒ，２Ｇ，２Ｂの光を拡散することによって、光を混色させる拡散板１５にＲＧＢセンサ３を取り付けたり、拡散板１５の内側に各ＬＥＤの発光をＲＧＢセンサに導光する光ファイバを配設しているので、ＲＧＢセンサ３や光ファイバによって照射光の一部が遮られて、被照面に影ができるという問題があった。
【０００７】
本発明は上記問題点に鑑みて為されたものであり、その目的とするところは、被照面に影ができるのを防止したＬＥＤ照明器具を提供することにある。
【課題を解決するための手段】
【０００８】
上記目的を達成するために、本発明は、円形の開口を有し周部に比べて中央部が凹んだドーム状の凹面鏡と、当該凹面鏡の周部に沿って、発光面を凹面鏡の中央部側にしてそれぞれ配置された赤色ＬＥＤ、緑色ＬＥＤおよび青色ＬＥＤを備え、各ＬＥＤからの照射光を凹面鏡で反射することによって混色した光を被照面に照射するＬＥＤ照明器具において、凹面鏡の中央部に配置されて、赤色、緑色、青色の各色成分の光強度を個別に測定するＲＧＢセンサと、ＲＧＢセンサの検出結果をもとに赤色、緑色、青色の色バランスが所定の設定値となるように各ＬＥＤの光出力を制御する制御部とを設けたことを特徴とする。
【０００９】
この発明によれば、赤色ＬＥＤと緑色ＬＥＤと青色ＬＥＤとを凹面鏡の周部に沿ってそれぞれ配置するとともに、赤色、緑色、青色の各色成分の光強度を個別に測定するＲＧＢセンサを凹面鏡の中央部に配置し、各ＬＥＤからの光を凹面鏡で反射することによって、混色された光が被照面に照射されるので、ＲＧＢセンサによって被照面に照射される光の一部が遮られることはなく、被照面に影ができるのを防止できる。そのうえＲＧＢセンサは、各ＬＥＤからの光が最も良く集光される凹面鏡の中央部に配置されているので、各色成分の光強度を正確に検出することができ、ＲＧＢセンサの検出結果をもとに制御部が各ＬＥＤの光出力を制御することで、所望の色温度の照射光を得ることができる。
【発明の効果】
【００１０】
本発明によれば、赤色ＬＥＤと緑色ＬＥＤと青色ＬＥＤとを凹面鏡の周部に沿ってそれぞれ配置するとともに、赤色、緑色、青色の各色成分の光強度を個別に測定するＲＧＢセンサを凹面鏡の中央部に配置し、各ＬＥＤからの光を凹面鏡で反射することによって、混色された光が被照面に照射されるので、ＲＧＢセンサによって被照面に照射される光の一部が遮られることはなく、被照面に影ができるのを防止できるという効果がある。そのうえＲＧＢセンサは、各ＬＥＤからの光が最も良く集光される凹面鏡の中央部に配置されているので、各色成分の光強度を正確に検出することができ、ＲＧＢセンサの検出結果をもとに制御部が各ＬＥＤの光出力を制御することで、所望の色温度の照射光を得ることができるという効果もある。
【発明を実施するための最良の形態】
【００１１】
以下では、本発明に係るＬＥＤ照明器具を所謂ダウンライトに適用した一実施形態について図１及び図２に基づいて説明する。
【００１２】
図１（ａ）にＬＥＤ照明器具Ａの施工状態を示す断面図を、図１（ｂ）にＢ−Ｂ’断面図を、図２にＬＥＤ照明器具Ａのブロック図をそれぞれ示す。
【００１３】
このＬＥＤ照明器具Ａの器体１０は、一端側が閉塞された円筒状であって、他端側の開口部を下向きにして、天井材２０に設けた埋込孔２１に埋込配設される筒部１１と、筒部１１の開口部に嵌合される扁平なドーナツ形のキャップ部１２とで構成され、キャップ部１２の下部周縁からは外側に向かって鍔部１３が突設されている。この器体１０は、天井材２０に設けた埋込孔２１の内部に上部を挿入し、鍔部１３の上面を天井材２０の下面に当接させた状態で適宜の手段を用いて天井材２０に固定される。
【００１４】
器体１０の内部には、表面に鏡面加工が施されたドーム状の凹面鏡１４が収納されている。凹面鏡１４は周部に比べて中央部が凹んでおり、周部をキャップ部１２の上面に載置した状態で器体１０内に収納されている。またキャップ部１２の上面には、凹面鏡１４よりも内側に赤色ＬＥＤ２Ｒと緑色ＬＥＤ２Ｇと青色ＬＥＤ２Ｂとが、発光面を凹面鏡１４の中央部側に向けた状態で、凹面鏡１４の周部に沿って複数個ずつ配置されている。而して、各色のＬＥＤ２Ｒ，２Ｇ，２Ｂからの照射光は凹面鏡１４で反射されることによって混色されて、白色光を発生し、キャップ部１２の窓孔１２ａを通して被照面に照射される。なお、各色のＬＥＤ２Ｒ，２Ｇ，２Ｂは、凹面鏡１４の周部に沿って、所定の順番（例えば赤色ＬＥＤ２Ｒ→緑色ＬＥＤ２Ｇ→青色ＬＥＤ２Ｂ→赤色ＬＥＤ２Ｒ…）でサイクリックに配置されているので、各色のＬＥＤ２Ｒ，２Ｇ，２Ｂが均等に配置されて、光が混色しやすくなっている。
【００１５】
ここで、凹面鏡１４の中央部にはＲＧＢセンサ３が受光面を下側にして取着されている。ＲＧＢセンサ３は赤色、緑色、青色の各色成分の光強度を個別に測定するものであり、制御部１では、ＲＧＢセンサ３の検出結果をもとに、赤色、緑色、青色の色バランスが所定の設定値となるように各ＬＥＤ２Ｒ，２Ｇ，２Ｂの光出力を制御している。
【００１６】
以上説明したように、本実施形態のＬＥＤ照明器具Ａでは、赤色ＬＥＤ２Ｒと緑色ＬＥＤ２Ｇと青色ＬＥＤ２Ｂとを凹面鏡１４の周部に沿ってそれぞれ配置するとともに、赤色、緑色、青色の各色成分の光強度を個別に測定するＲＧＢセンサ３を凹面鏡１４の中央部に配置し、各ＬＥＤ２Ｒ，２Ｇ，２Ｂからの光を凹面鏡１４で反射することによって、混色された白色光が被照面に照射されるので、ＲＧＢセンサ３によって被照面に照射される光の一部が遮られることはなく、被照面に影ができるのを防止できる。そのうえＲＧＢセンサ３は、各ＬＥＤ２Ｒ，２Ｇ，２Ｂからの光が最も良く集光される凹面鏡１４の中央部に配置されているので、各色成分の光強度を正確に検出することができ、ＲＧＢセンサ３の検出結果をもとに制御部１が各ＬＥＤ２Ｒ，２Ｇ，２Ｂの光出力を制御することで、所定の色温度の白色光を得ることができる。
【００１７】
なお本実施形態では赤色ＬＥＤ２Ｒと緑色ＬＥＤ２Ｇと青色ＬＥＤ２Ｂの光を混色して白色光を発生させているが、被照面に照射する光の光色を白色光に限定する趣旨のものではなく、ＲＧＢの色バランスが所定の設定値となるように各色のＬＥＤ２Ｒ，２Ｇ，２Ｂを制御すれば、所望の色温度（光色）の光を被照面に照射させることができる。
【００１８】
また本実施形態ではＬＥＤ照明器具をダウンライトに適用した例に基づいて説明を行ったが、本発明に係るＬＥＤ照明器具をダウンライト以外の照明器具に適用しても良いことは言うまでもない。
【図面の簡単な説明】
【００１９】
【図１】本実施形態のＬＥＤ照明器具の施工状態を示す断面図である。
【図２】同上のブロック図である。
【図３】従来のＬＥＤ照明器具の施工状態を示す断面図である。
【符号の説明】
【００２０】
Ａ    ＬＥＤ照明器具
２Ｒ  赤色ＬＥＤ
２Ｇ  緑色ＬＥＤ
２Ｂ  青色ＬＥＤ
３    ＲＧＢセンサ
１０  器体
１４  凹面鏡
【図１】
0004487888.tif 000002
【図２】
0004487888.tif 000003
【図３】
0004487888.tif 000004